(57)【要約】【課題】装着作業性が良好でかつ外観性に優れた照明器具を提供する。【解決手段】枠体３０のうち器具本体２０に臨まない外周側面の一部である端面３５に係合孔部３８を設けたので、天井面１１に設けられた挿入用孔部１２に挿入されて取り付けられている器具本体２０から枠体３０を取り外す際に、係合孔部３８に指を掛けて引き下げることができ、作業性を改善することができる．また、係合孔部３８は下方から見えないので、外観性に優れる。【選択図】図２
2011222148.tif 000002
【特許請求の範囲】
【請求項１】
天井面に設けられた挿入用孔部に挿入される照明器具本体と、
前記照明器具本体と前記挿入用孔部とが近接する部位に設けられる枠体と、を有する照明器具であって、
前記枠体のうち前記照明器具本体に臨まない外周側面の一部に係合孔部を設けた照明器具。
【請求項２】
請求項１に記載の照明器具において、
前記係合孔部は、開閉自在な蓋部を有する照明器具。
【発明の詳細な説明】
【技術分野】
【０００１】
本発明は、天井に設けられた孔部に埋め込んで使用する埋め込み式の照明器具に関するものである。
【背景技術】
【０００２】
天井などに、凹部を形成し、埋め込んだ状態で装着する埋め込み式の照明器具が、広く用いられている。このような埋め込み式の照明器具は、光源部を収容する器具本体と、光源部の前面部を覆う枠体とから構成される。
【０００３】
その一例として、天井面に設けられた挿入用孔部に挿入される照明器具本体と、照明器具本体と挿入用孔部とが近接する部位に設けられる枠体とを有する枠付きで埋め込み式の照明器具が提案されている（たとえば特許文献１）。
この埋め込み式の照明器具は、全体概要図を図５および図６に、要部説明図を図７に示すように、天井面１０１に設けられた挿入用孔部Ｈに嵌め込まれる器具本体１００と、器具本体１００の下端部であって、天井面１０１に嵌め込まれた際に天井面１０１に当接して下方に露出する枠体１１５とを有する。枠体１１５には、透光性のパネル１１６が取り付けられている。枠体１１５と器具本体１００とは、枠体１１５にあるバネ部材１１３にて取り付けられるようになっている。バネ部材１１３は、下端部が枠体１１５に取り付けられており、両外側に付勢されて拡開する支持部が、器具本体１００に設けられているバネはめ込み部１１４に摺動可能、かつ、着脱可能となっている。
【０００４】
従って、枠体１１５およびパネル１１６を器具本体１００に取り付ける際には、バネ部材１１３を器具本体１００のバネはめ込み部１１４に押し込んで、枠体１１５およびパネル１１６を器具本体１００に取り付ける。一方、光源（図示せず）のメンテナンス時等で枠体１１５およびパネル１１６を取り外す際には、枠体１１５を引き下げてパネル１１６を取り外し、光源を交換等する。
【先行技術文献】
【特許文献】
【０００５】
【特許文献１】特開２００６−３１０１９３号公報
【発明の概要】
【発明が解決しようとする課題】
【０００６】
しかしながら特許文献１に記載の照明器具の構造では、器具本体１００のメンテナンス等のために枠体１１５を付け外しすることが多々あるが、意匠性の観点から枠体１１５自体の厚さ（天井面１０１からの持ち出し長さ）を薄くせざるを得ず、枠体１１５を引き下げる際に指をかけるところがなく、作業性が十分でなかった。
【０００７】
本発明は前記実情に鑑みてなされたもので、脱着作業性が良好でかつ外観性に優れた照明器具を提供することを目的とする。
【課題を解決するための手段】
【０００８】
本発明の照明器具は、天井面に設けられた挿入用孔部に挿入される照明器具本体と、照明器具本体と挿入用孔部とが近接する部位に設けられる枠体と、を有する照明器具であって、枠体のうち照明器具本体に臨まない外周側面の一部に係合孔部を設けたものである。
【０００９】
また、本発明の照明器具は、係合孔部は、開閉自在な蓋部を有するものである。
【発明の効果】
【００１０】
本発明は、枠体のうち器具本体に臨まない外周側面の一部に係合孔部を設けたので、天井面に設けられた挿入用孔部に挿入されて取り付けられている器具本体から枠体を取り外す際に、係合孔部に指を掛けて引き下げることができ、作業性を改善することができる。また、係合孔部は下方から見えないので、外観性に優れるという効果を有する照明器具を提供できる。
【図面の簡単な説明】
【００１１】
【図１】本発明に係る第１実施形態の照明器具を示す分解斜視図
【図２】（Ａ）は第１実施形態の照明器具の要部を示す断面図，（Ｂ）は（Ａ）中Ｂ方向から見た側面図
【図３】（Ａ）は本発明に係る第２実施形態の照明器具の要部断面図，（Ｂ）は（Ａ）中Ｂ方向から見た平面図
【図４】（Ａ）は本発明に係る第３実施形態の照明器具の要部断面図，（Ｂ）は（Ａ）中Ｂ部分を上方から見た斜視図
【図５】従来の埋め込み型の照明器具の分解斜視図
【図６】従来の照明器具の一部破断の側面図
【図７】図６中ＶＩＩ部分の拡大断面図
【発明を実施するための形態】
【００１２】
（第１実施形態）
以下、本発明の第１実施形態の照明器具について、図面を用いて説明する。
図１に示すように、本発明に係る第１実施形態の照明器具１０は、天井面１１に設けられた挿入用孔部１２に埋め込んで使用する埋め込み式の照明器具であり、挿入用孔部１２に挿入される器具本体２０を有する。
【００１３】
図１および図２に示すように、器具本体２０は、例えば、下方が開口（開口部２１）した矩形箱状を呈しており、下端部（図１において下端部）は外側へ折り返されて、折返し部２５が形成されている。器具本体２０における対向する２側板２４には、器具本体２０を挿入用孔部１２に固定するためのスライド金具２６および後述する枠体３０の取付バネ３２を係止するバネ受け２２が設けられている。ここでは、一つの側板２４に、例えば、２個のスライド金具２６と、２個のバネ受け２２が設けられている。
【００１４】
バネ受け２２は、器具本体２０の内側に矩形状に突出しており、取付バネ３２が上下方向に貫通可能な係止空間２２１（図２参照）を有する。バネ受け２２は、器具本体２０の対向する２辺に設けることができるが、１辺のみに設け、対向する他辺には引っ掛け部を設けることもできる。
【００１５】
従って、器具本体２０は、天井面１１の挿入用孔部１２に嵌め込まれて折返し部２５の上面が天井面１１の下面に当接し、スライド金具２６を下方へスライドさせて天井面１１の上面に当接することにより、折返し部２５とスライド金具２６で天井面１１を挟んで器具本体２０を固定する。
なお、器具本体２０には光源である蛍光灯（図示せず）や、点灯装置２３等が収容されている。
【００１６】
器具本体２０の下端には、折返し部２５を覆うように矩形枠状の枠体３０が着脱可能に取り付けられる。枠体３０は内側に開口部３１を有する矩形枠状を呈しており、内側の開口部３１には透光性のカバー３３が取り付けられている。枠体３０は、器具本体２０を天井面１１の挿入用孔部１２に嵌め込んだ状態で器具本体２０に取り付けることにより、器具本体２０の折返し部２５を覆い隠すとともに、挿入用孔部１２の周囲において天井面１１から下方へ露出する。これにより、美観を改善している。
【００１７】
図２に示すように、枠体３０は、下方に露出する枠状の下板３４を有し、下板３４の内周端には上方に向けてリブ３６が設けられており、リブ３６の内側面には矩形状のフレーム３７が取り付けられている。リブ３６およびフレーム３７の上端部には、枠体３０を器具本体２０に取り付けるための取付バネ３２が取り付けられている。取付バネ３２は、器具本体２０のバネ受け２２に対応して、対向する２辺または１辺に設けられる。取付バネ３２は、例えば、下端が狭まって枠体３０に取り付けられ、少なくとも中央部が水平方向に拡がった形状をしている。
【００１８】
また、下板３４の外周端から上方に曲げ上げて端面３５が形成されており、器具本体２０に臨まない外周側面である端面３５の所定位置には、端面３５を切り欠くことにより指を掛けることができる係合孔部３８が設けられている。
なお、係合孔部３８は、取付バネ３２が設けられている近傍に設けるのが効果的である。
【００１９】
従って、枠体３０を器具本体２０に取り付ける際には、枠体３０を下方から持ち上げて、取付バネ３２を器具本体２０のバネ受け２２の係止空間２２１に下側から挿入する。そして、取付バネ３２の中央部がバネ受け２２を貫通すると、取付バネ３２の中央部の拡がる力でバネ受け２２に係止されるので、枠体３０は器具本体２０に保持される。あるいは、器具本体２０に引っ掛け部が設けられている場合には、枠体３０にも引っ掛け部を設け、枠体３０の一辺を器具本体２０に引っ掛けてから取付バネ３２をバネ受け２２に挿通する。
一方、器具本体２０に取り付けられている枠体３０およびカバー３３を取り外す際には、枠体３０の端面３５に設けられている係合孔部３８に指を掛けて下方へ引き下げ、取付バネ３２をバネ受け２２から引き抜く。
【００２０】
以上、説明した本発明に係る第１実施形態の照明器具１０によれば、器具本体２０に臨まない外周側面である端面３５の所定位置に係合孔部３８を設けたので、枠体３０を器具本体２０から取り外す際に、係合孔部３８に指を掛けて引き下げることができ、作業性を改善することができる。
また、係合孔部３８は下方から見えないので、外観性に優れる。
【００２１】
（第２実施形態）
次に、本発明の第２実施形態の照明器具について、図面を用いて説明する。なお、前述した第１実施形態にかかる照明器具と共通する部位には同じ符号を付して、重複する説明を省略することとする。
【００２２】
図３に示すように、第２実施形態の照明器具１０Ｂでは、枠体３０の端面３５に設けられている係合孔部３８に、開閉可能な蓋部である蓋３９を設けた。蓋３９は、回動軸３９１を中心として回動可能であり、かつ、バネ３９２によって常時蓋３９が閉じるように付勢されている。また、図３（Ｂ）に示すように、蓋３９の裏面（器具本体２０側面）にストッパ３９３を取り付けて、蓋３９が係合孔部３８から外側へ突出しないようにする。
【００２３】
これにより、蓋３９を外部から押し込むと（図３（Ａ）において矢印で表示）、バネ３９２の付勢力に抗して蓋３９は回動軸３９１を中心として内側へ回動するので、指を係合孔部３８に挿入して掛けることができる。また、指を取り出すと、蓋３９は、バネ３９２の付勢力により閉じる。このとき、蓋３９の内面に取り付けられているストッパ３９３が枠体３０の端面３５の内面に当接するので、蓋３９は端面３５と同一面で閉じる。
【００２４】
以上、説明した第２実施形態の照明器具１０Ｂによれば、係合孔部３８に開閉自在な蓋３９を設けたので、枠体３０を引き下ろす際には、係合孔部３８に指を掛けることができる。
また、常時はバネ３９２によって蓋３９は閉じられているので、外観を損なわない。
【００２５】
（第３実施形態）
次に、本発明の第３実施形態の照明器具について、図面を用いて説明する。なお、前述した第１実施形態および第２実施形態にかかる照明器具と共通する部位には同じ符号を付して、重複する説明を省略することとする。
【００２６】
図４に示すように、第３実施形態の照明器具１０Ｃでは、枠体３０の端面３５に設けられた係合孔部３８に対応して、枠体３０の下板３４の上面に、ガイド部材４１を取り付けた。ガイド部材４１には、所定距離外側に離れてストッパ部４１１が設けられている。また、ガイド部材４１により、下板３４の上面に沿って所定距離だけ摺動可能（図４（Ａ）中二点鎖線で表示）な蓋部材４２を設け、蓋部材４２の蓋部分４２１が係合孔部３８に嵌合するように付勢するスプリング４３を設けた。なお、蓋部材４２には、蓋部分４２１に対向する規制部４２２が設けられており、ガイド部材４１の支持部４１２とストッパ部４１１との間で規制部材４２２が摺動可能な範囲で蓋部材４２は摺動する。
【００２７】
これにより、蓋部材４２の蓋部分４２１を外部から押し込むと（図４（Ａ）において矢印で表示）、スプリング４３の付勢力に抗して蓋部分４２１が器具本体２０側へ移動して係合孔部３８が開くので、指を掛けることができる。また、指を取り出すと、蓋部分４２１は、スプリング４３の付勢力により閉じる。このとき、蓋部材４２の規制部４２２が、ガイド部材４１のストッパ部４１１に当接するので、蓋部分４２１は枠体３０の端面３５の位置に停止する。
【００２８】
以上、説明した第３実施形態の照明器具１０Ｃによれば、係合孔部３８に開閉自在な蓋部分４２１を設けたので、枠体３０を引き下ろす際には、係合孔部３８に指を掛けることができる。
また、常時はスプリング４３によって蓋部分４２１は閉じられているので、外観を損なわない。
【００２９】
なお、本発明の照明器具は、前述した各実施形態に限定されるものでなく、適宜な変形，改良等が可能である。
【符号の説明】
【００３０】
１０，１０Ｂ，１０Ｃ  照明器具
１１  天井面
１２  挿入用孔部
３０  枠体
３５  端面（外周側面）
３８  係合孔部
３９１  蓋（蓋部）
４２１  蓋部分（蓋部）
【図１】
2011222148.tif 000003
【図２】
2011222148.tif 000004
【図３】
2011222148.tif 000005
【図４】
2011222148.tif 000006
【図５】
2011222148.tif 000007
【図６】
2011222148.tif 000008
【図７】
2011222148.tif 000009